(57)【特許請求の範囲】
【請求項１】
カード外面に形成された凹部内の２つの位置間でスライド可能な所定の高さを持つライトプロテクトボタンを備えたカードを装脱可能に保持するカードコネクタにおいて、
装填されたカードのライトプロテクトボタンの一方のスライド部位に対応する前記凹部にその当接部が当接するように付勢された片持ち状の第１の接触ばね片と、
装填されたカードのライトプロテクトボタンの他方のスライド部位に対応する前記凹部にその当接部が当接するように付勢され、前記第１の接触ばね片に沿って同じ向きに延在する片持ち状の第２の接触ばね片と、
を備え、前記第１および第２の接触ばね片の接離方向への変位に基づいて前記ライトプロテクトボタンのスライド位置を検出することを特徴とするカードコネクタのスイッチ構造。
【請求項２】
前記第１および第２の接触ばね片の当接部は突出していることを特徴とする請求項１に記載のカードコネクタのスイッチ構造。
【請求項３】
前記ライトプロテクトボタンは、カードの側面に形成された凹部に配設されることを特徴とする請求項１に記載のカードコネクタのスイッチ構造。
【請求項４】
カード外面に形成された凹部内の２つの位置間でスライド可能な所定の高さを持つライトプロテクトボタンを備えたカードを装脱可能に保持するカードコネクタにおいて、
装填されたカードのライトプロテクトボタンの一方のスライド部位に対応する前記凹部にその当接部が当接するように付勢された片持ち状の第１の接触ばね片と、
装填されたカードの前記ライトプロテクトボタンの近傍の外壁面にその当接部が当接するように付勢され、前記第１の接触ばね片に沿って同じ向きに延在する片持ち状の第２の接触ばね片と、
を備え、前記第１および第２の接触ばね片の接離方向への変位に基づいて前記ライトプロテクトボタンのスライド位置を検出することを特徴とするカードコネクタのスイッチ構造。
【請求項５】
前記ライトプロテクトボタンが書込み許可位置にある場合、前記第１の接触ばね片の当接部が前記プロテクトボタンの端面に当接するとともに、前記第２の接触ばねの当接部が前記凹部の底面に当接することにより、該第１の接触ばねおよび該第２の接触ばねの他の部分が互いに接触し電気的に接続状態とされることを特徴とする請求項１に記載のカードコネクタのスイッチ構造。
【請求項６】
前記ライトプロテクトボタンが書込み許可位置にある場合、前記第１の接触ばね片の当接部が前記ライトプロテクトボタンの近傍の外壁面に当接するとともに、前記第２の接触ばねの当接部が前記凹部の底面または該ライトプロテクトボタンの端面のうちの少なくとも一方に当接することにより、該第１の接触ばねおよび該第２の接触ばねの他の部分が互いに接触し電気的に接続状態とされることを特徴とする請求項４に記載のカードコネクタのスイッチ構造。
【発明の詳細な説明】
【０００１】
【発明の属する技術分野】
この発明は、携帯電話機、電話機、ＰＤＡ（personal digital assistance）、携帯型オーディオ、カメラ等の電子機器に取り付けられるＩＣカード用コネクタに関し、さらに詳しくはＩＣカードのライトプロテクトボタンの位置を検出するためのスイッチ構造に関するものである。
【０００２】
【従来の技術】
携帯電話機、電話機、ＰＤＡ、カメラ等の電子機器においては、ＩＣが内蔵された、ＳＩＭ（subscriber identity module）カード、ＭＭＣ（multi media card）、スマートメディア（商標）などのＩＣカードを装着させることで、各種の機能拡張、使用者の特定化などを行うようにしている。
【０００３】
この種のＩＣカードには、内部のメモリに記憶された情報保護のために、書込み禁止のための何らかの措置が取られていることが普通である。勿論、カード使用者が所望する際には、電子機器からの情報をカードに書き込むことができるようにプロテクト解除の措置もとられている。
【０００４】
このライトプロテクトの方式としては、様々なものが提案されているが、フロッピーディスクのように、２つの位置をスライド移動できるライトプロテクトボタンによる方式が、繰り返し使用可能な面、構造が簡単であるなどの面から有効であると考えられる。
【０００５】
このようなスライドボタン方式においては、周知のように、カード側に２つの位置をスライドできるライトプロテクトボタンを配し、一方の位置にボタンを位置させた際には書込み禁止状態とし、他方の位置にボタンを位置させた際には書込み可能状態とするよう電子機器側の電気回路を設定している。
【０００６】
ライトプロテクトボタンの位置を検出するためのセンサ構造としては、光を用いた方式も考えられるが、光による方式は、カードの薄型、小型化に伴ない十分な検出精度が期待できない、光センサの配置により小型化、低コスト化の支障になるなどの点で問題がある。
【０００７】
図１４は、接触ばね片を用いたライトプロテクトボタンの位置検出部の従来構成を示すものである。
【０００８】
この従来構成では、接点部１００ａを有する接触ばね片１００と、接触片１０１とからなるスイッチ構造によって、２つの位置をスライドするライトプロテクトボタン１０２の有無を検出するようにしている。このスイッチ構造においては、ボタン１０２が一方の位置にあるときは両接触片１００，１０１は離間し（図１４(a)）、ボタン１０２が他方の位置に位置にあるときに両接触片１００，１０１が接触する（図１４(b)）。
【０００９】
【発明が解決しようとする課題】
このようなスイッチ構造では、接触片１００の変位は基本的にはボタン１０２の高さ（厚み）に依存するが、コネクタ側のカード収容部の幅とカード幅との差によるガタを考慮すると、接触片１００の変位量は、ボタン１０２の厚みから上記ガタ分を引いた値になるので、例えばプロテクトボタンの高さが０．６ｍｍ、ガタが０．３ｍｍの場合は、接触片１００の変位量は０．３ｍｍとなる。これに部品、組み立て公差を含めると、最悪の場合、接触片１００の変位は０．１ｍｍ程度しかなくなってしまう場合がある。
【００１０】
上記従来のスイッチ構造では、一方の接触片１００のみの変位によって両接触片が接点接触するように構成されているので、上述したようなガタ、組み立て公差などによって両接触片に十分な相対変位を確保することができなくなり、この結果、両接触片１００，１０１の接触不良が発生し、プロテクトボタン位置を正確かつ安定に検出することができなくなる問題がある。
【００１１】
この発明はこのような事情を考慮してなされたもので、各種の誤差要因が発生したとしても、接触片の確実かつ安定的な接離動作を常に得られるようにして、ライトプロテクトボタンの位置を正確かつ確実に検出することができるカードコネクタのスイッチ構造を提供することを解決課題とする。
【００１２】
【課題を解決するための手段】
この発明の一形態では、カード外面に形成された凹部内の２つの位置間でスライド可能な所定の高さを持つライトプロテクトボタンを備えたカードを装脱可能に保持するカード用コネクタにおいて、装填されたカードのライトプロテクトボタンの一方のスライド部位に対応する前記凹部にその当接部が当接するように付勢された片持ち状の第１の接触ばね片と、装填されたカードのライトプロテクトボタンの他方のスライド部位に対応する前記凹部にその当接部が当接するように付勢され、前記第１の接触ばね片に沿って同じ向きに延在する片持ち状の第２の接触ばね片とを備え、前記第１および第２の接触ばね片の接離方向への変位に基づいて前記ライトプロテクトボタンのスライド位置を検出するようにしている。
【００１３】
この発明では、２つの片持ち状の接触ばね片を用い、第１の接触ばね片は装填されたカードのライトプロテクトボタンの一方のスライド部位に対応する凹部にその当接部が当接するように付勢し、第２の接触ばね片は装填されたカードのライトプロテクトボタンの他方のスライド部位に対応する前記凹部にその当接部が当接するように付勢する。
【００１４】
したがって、この発明のスイッチ構造では、ライトプロテクトボタンが２つのスライド位置の何れに位置しているときも、一方の接触ばね片の当接部がライトプロテクトボタンに当接しかつ他方の接触ばね片の当接部はライトプロテクトボタンに隣接する前記凹部に当接する。よって、両接触ばね片は、前述したガタ、寸法公差があったとしても、常に、ライトプロテクトボタンの位置が移動すると、カードに当接している位置を基準としてライトプロテクトボタンの高さ分だけ変位することができる。
【００１５】
さらに、この発明のスイッチ構造では、ライトプロテクトボタンに対応する凸部およびこれに隣接する凹部を利用して両接触ばね片の接離動作を行わせるようにしているので、両接触ばね片の変位方向は互いに逆になる。すなわち、両接触ばね片が互いに近づく方向への変位のときに両接触ばね片が接触し、両接触ばね片が互いに遠ざかる方向への変位のときに両接触ばね片が離間することになる。
【００１６】
したがってこの発明では、ライトプロテクトボタンの高さの２倍分に対応する両接触ばね片間の相対変位によって２つの接触ばね片を接離することができる。
【００１７】
また、この発明の他の形態では、カード外面に形成された凹部内の２つの位置間でスライド可能な所定の高さを持つライトプロテクトボタンを備えたカードを装脱可能に保持するカード用コネクタにおいて、装填されたカードのライトプロテクトボタンの一方のスライド部位に対応する前記凹部にその当接部が当接するように付勢された片持ち状の第１の接触ばね片と、装填されたカードの前記ライトプロテクトボタンの近傍の外壁面にその当接部が当接するように付勢され、前記第１の接触ばね片に沿って同じ向きに延在する片持ち状の第２の接触ばね片とを備え、前記第１および第２の接触ばね片の接離方向への変位に基づいて前記ライトプロテクトボタンのスライド位置を検出することを特徴とする。
【００１８】
この発明では、２つの片持ち状の接触ばね片を用い、第１の接触ばね片は装填されたカードのライトプロテクトボタンの一方のスライド部位に対応する凹部にその当接部が当接するように付勢し、第２の接触ばね片は装填されたカードのライトプロテクトボタンの近傍の外壁面にその当接部が当接するように付勢する。
【００１９】
したがって、この発明のスイッチ構造では、ライトプロテクトボタンが２つのスライド位置の何れに位置しているときも、第２の接触ばね片の当接部はライトプロテクトボタンの近傍の外壁面を押圧し、カード外壁面を基準にして位置決めされる。一方、第１の接触ばね片は、ライトプロテクトボタンのスライド位置に応じて、常にライトプロテクトボタンの高さ分だけ変位する。
【００２０】
このようにこの発明によれば、両接触ばね片は、カード側の位置を基準にしてその接離状態が決定されるので、前述したガタ、寸法公差があったとしても、ライトプロテクトボタンのスライド位置に応じて、常にライトプロテクトボタンの高さ分の両接触ばね片間の相対変位を得ることができる。
【００２１】
【発明の実施の形態】
以下この発明の実施形態を添付図面にしたがって詳細に説明する。
【００２２】
図１は、この発明のカード用コネクタに装填するＩＣカードの一例を示す平面図である。
【００２３】
このＩＣカード１の側面には、ノッチ（凹部）２が形成されており、このノッチ２内をライトプロテクトボタン３がカード挿脱方向（矢印Ａ方向）にスライド可能に配設されている。この場合、ライトプロテクトボタン３は、実線で示すプロテクトオン位置（書込み禁止位置）と、破線で示すプロテクトオフ位置（書込み許可位置）の２つの位置をとり得、これら２つの位置間でスライド可能に構成されている。
【００２４】
すなわち、カード１は、ボタン３をノッチ２の後部側２ｂに位置させたときに書込み禁止となり、ボタン３をノッチ２の前部側２ａに位置させたときに書込み許可となる。図１には図示されていないが、カード１の裏面には、コネクタ側のコンタクト端子と接触する電源端子、信号端子などを含む複数のコンタクトパッドが形成されている。
【００２５】
図２は、このＩＣカード１が装填されるコネクタ１０の概観構造を示すもので、本体１１、蓋体１５などを有するコネクタハウジングは樹脂などの絶縁材料によって成形加工され、その前面には、カード１が挿入されるカード挿入口１３が形成されている。このようなコネクタ１０が、携帯電話機、電話機、ＰＤＡ、携帯型オーディオ、カメラ等の電子機器の適宜箇所に固定される。
【００２６】
図３および図４は上記コネクタ１０の内部構成を示す平面図である。図３はカード１が未装填の状態を示し、図４はカード１が装填されている状態を示している。図４では、カード１はライトプロテクトボタン３がプロテクトオン位置にある。
【００２７】
図３及び図４において、ハウジング本体１１のカード収容部１２の底面を構成する本体下面部１６には、片持ち状の接触ばね片で構成された複数のコンタクト１４が配設されている。これら複数のコンタクト１４には、電源端子、信号端子などが含まれる。各コンタクト１４の先端に位置する接点部１４ａは、上方に若干突出されており、これら接点部１４ａは挿入されたカード１の複数のコンタクトパッドと押圧接触する。各コンタクト１４の末端側は、半田付けなどにより電子機器のプリント基板に接着固定される。
【００２８】
カード収容部１２の側方には、先端当接部の位置がずれるように配設された２つの接触ばね片２０および３０が設けられ、これら２つの接触ばね片２０および３０によってカード１のライトプロテクトボタン３の位置を検出する。
【００２９】
図５および図６はこれら２つの接触ばね片２０，３０の斜視図および側面図を示すものである。
【００３０】
接触ばね片２０は、図５および図６に明示するように、プリント基板のコンタクトパッドに半田付け固定される端部２１、コネクタハウジング１１にピン固定される固定部２２、カード側面に沿って延在するばね片部２３、突出された先端当接部２４を有する金属片で構成されており、固定部２２が固定されることによって片持ち状に支持される。先端当接部２４は、カード１が挿入された際にカード１に形成されたノッチ２の前部側２ａまたは前部側２ａ側にスライドされたライトプロテクトボタン３と当接する当接部２４ａ、その先端側に延在する先端延在部２４ｂを有している。接触ばね片２０は、図３および図４に示すように、カード１が挿入されると、その当接部２４ａでカード１のノッチ２の前部側２ａの底面を押圧できるようにばね片部２３が付勢されている。
【００３１】
接触ばね片３０は、同様に、端部３１、片持ち状に支持するための固定部３２、ばね片部３３および突出された先端当接部３４を有する金属片で構成されており、ばね片部３３の途中には接触ばね片２０と接触する接点突起３５が形成されている。接点突起３５は、接触ばね片２０側に突出している。先端当接部３４は、カード１が挿入された際にカード１に形成されたノッチ２の後側部２ｂまたは後側部２ｂ側にスライドされたライトプロテクトボタン３に当接する当接部３４ａ、その先端側に延在する先端延在部３４ｂを有している。接触ばね片３０は、図３および図６に示すように、カード１が挿入されると、その当接部３４ａでカード１のノッチ２の後部側２ｂの底面を押圧できるようにばね片部３３が付勢されている。
【００３２】
なお、この場合、図６に示すように、両接触ばね片２０，３０が先端延在部２４ｂ，および３４ｂでは接触することがないように、一方の先端延在部２４ｂを故意に下方に屈曲させている。これらの先端延在部２４ｂおよび３４ｂはある程度の長さを確保しており、これによりカード１を挿入した際に、当接部２４ａ、３４ｂがカード１の凹部２などに引っかかって接触ばね片２０，３０を屈曲させることがないようにしている。
【００３３】
なお、図３に示すように、カード未装填の状態においては、接触ばね片３０側のばね片部３３の傾斜角度を接触ばね片２０側のばね片部２３の傾斜角度より大きくすることで、接点突起３５の部位で両接触ばね片２０，３０が接触し易いようにしている。
【００３４】
このような２つの接触ばね片２０，３０によるスイッチ構造において、図４、図５および図７はカード１のライトプロテクトボタン３が書込み禁止位置に位置しているときの装填状態を示すものである。また、図８はライトプロテクトボタン３が書込み許可位置に位置しているときの装填状態を示すものである。
【００３５】
図４、図５および図７に示すように、書込み禁止のときは、接触ばね片２０の当接部２４ａはカード１のノッチ２の前側部２ａの底面に当接し、また接触ばね片３０の当接部３４ａはカード１のプロテクトボタン３と当接する。このときには、両接触ばね片２０、３０はいずれの部位においても離間しており、両接触ばね片２０、３０で構成されるスイッチはオフの状態にある。
【００３６】
一方、図８に示すように、書込み許可のときには、接触ばね片２０の当接部２４ａはカード１のノッチ２の前側部２ａに位置するボタン３に当接し、また接触ばね片３０の先端当接部３４ａはカード１のノッチ２の後側部２ｂの底面と当接する。このときには、両接触ばね片２０、３０は、接触ばね片３０の接点突起３５を介して接触しており、両接触ばね片２０、３０で構成されるスイッチはオンの状態にある。
【００３７】
このようにこのスイッチ構造では、ライトプロテクトボタン３の位置に応じて２つの接触ばね片２０，３０が接離するので、この接離を接触ばね片２０，３０の端部２１，３１に接続される電気回路を用いて電気的に検出することで、ＩＣカード１のライトプロテクトボタン３が書込み禁止／書込み許可の何れに位置しているかを検出することができる。
【００３８】
この実施形態においては、２つの片持ち状の接触ばね片２０，３０を用い、接触ばね片２０は装填されたカード１のライトプロテクトボタン３の一方のスライド部位に対応する凹部２ａの底面にその当接部２４ａが当接するように付勢し、接触ばね片３０は装填されたカード１のライトプロテクトボタン３の他方のスライド部位に対応する前記凹部２ｂの底面にその当接部３４ａが当接するように付勢されている。
【００３９】
したがって、このスイッチ構造では、ライトプロテクトボタン３が２つのスライド位置の何れに位置しているときも、一方の接触ばね片の先端部がライトプロテクトボタン３に当接しかつ他方の接触ばね片はライトプロテクトボタンに隣接する凹部２に当接する。よって、接触ばね片２０，３０は、前述したガタ、寸法公差があったとしても、常に、ライトプロテクトボタン３の位置が移動すると、ライトプロテクトボタン３の高さ分だけ変位することができる。
【００４０】
また、このスイッチ構造では、ライトプロテクトボタン３およびこれに隣接する凹部２を利用して接触ばね片２０，３０の接離動作を行わせるようにしているので、接触ばね片２０，３０の変位方向は互いに逆になる。
【００４１】
例えば、接触ばね片２０，３０が離間している図７に示す状態から、接触ばね片２０，３０が当接している図８に示す状態への移行を考える。
【００４２】
接触ばね片２０は、カード１の凹部前側部２ａを押圧する状態からボタン３を押圧する状態に変位するので、ボタン３の高さ分だけ接触ばね片３０側に接近されることになる。接触ばね片３０は、ボタン３を押圧している状態からカード１の凹部後側部２ｂを押圧する状態に変位するので、ボタン３の高さ分だけ接触ばね片２０側に接近されることになる。このように、図７の状態から図８の状態へ移行の際には、両接触ばね片２０，３０が互いに近づく方向へ変位した結果、接触することになる。
【００４３】
接触ばね片２０，３０が当接している図８の状態から、接触ばね片２０，３０が離間している図７の状態への移行は上記とは逆であり、両接触ばね片２０，３０が互いに遠ざかる方向へ変位し、この変位の結果両接触ばね片２０，３０が離間されることになる。
【００４４】
このようにこのスイッチ構造では、ライトプロテクトボタン３の高さの２倍分に対応する両接触ばね片２０，３０間の相対変位によって２つの接触ばね片を接離することができるので、ライトプロテクトボタンに十分な高さが確保できない小さなカードなどへ適用すると有効である。また、カードおよびコネクタ間にガタがあったり、寸法公差があったりした場合でも、両接触ばね片を確実に接離することができるようになる。したがって、このスイッチ構造では、ライトプロテクトボタンの位置を常に正確かつ確実に検出することができるようになり、書込み禁止しているカードへデータを書き込んだりする誤動作を確実に防止することができる。
【００４５】
図９〜図１２にこの発明の他の実施形態を示す。これら図９〜図１２の各図において、(a)(b）の一方が２つの接触ばね片２０，３０で構成されるスイッチがオン状態を、他方がオフの状態を示している。
【００４６】
これら図９〜図１２に示す実施形態では、一方の接触ばね片２０は装填されたカード１のライトプロテクトボタン３の近傍の外側面にその当接部が当接し付勢するように配置され、他方の接触ばね片３０は装填されたカード１のライトプロテクトボタン３の一方のスライド部位に対応する凹部にその当接部が当接し付勢するように配置されている。
【００４７】
したがって、これらのスイッチ構造では、ライトプロテクトボタン３が２つのスライド位置の何れに位置しているときも、一方の接触ばね片２０の当接部はライトプロテクトボタン３のカード側面を押圧し、カード側壁面を基準にして位置決めされる。他方の接触ばね片３０は、ライトプロテクトボタン３のスライド位置に応じて、常にライトプロテクトボタン３の高さ分だけ変位する。
【００４８】
このようにこれらの実施形態では、両接触ばね片２０，３０は、カード１側の位置を基準にしてその接離状態が決定されるので、前述したガタ、寸法公差があったとしても、ライトプロテクトボタン３のスライド位置に応じて、常にライトプロテクトボタン３の高さ分だけばね片２０，３０間の相対変位を得ることができる。
【００４９】
図１３はこの発明のさらに他の実施形態を示すものである。
【００５０】
この図１３に示すように、ライトプロテクトスイッチ２０，３０の間に、別の接触片５０を介在させるようにしてもよい。
【００５１】
また、上記実施形態においては、図１に実線で示すボタン位置を書込み禁止位置に対応させ、破線で示す位置を書込み許可位置に対応させたが、これを逆にし、図１に実線で示すボタン位置を書込み許可位置に対応させ、破線で示す位置を書込み禁止位置に対応させるようにしてもよい。
【００５２】
また、上記実施形態においては、図４に示すように、挿入されたカード１の先端側に接触ばね片２０，３０の固定部を配するようにしたが、接触ばね片の２０，３０の向きを１８０度反転させ、挿入されたカード１の後端側に接触ばね片２０，３０の固定部を配するようにしてもよい。
【００５３】
また、上記実施形態では、接触ばね片２０，３０は、その先端延在部２４ａ，３４ａの一方を屈曲されることで、両接触ばね片２０，３０を先端延在部では接触させないようにしたが、これらの先端延在部が接触することがないように一方の先端延在部２４ｂの長さを設定するようにしてもよい。また両接触ばね片２０，３０の先端突起部２４，３４の幅を小さくし、両者の位置をずらせて平行に配設することによって両接触ばね片２０，３０を先端延在部で接触させないようにしてもよい。また、一方の接触ばね片の先端延在部に他方の接触ばね片の先端延在部が挿入される孔を形成するようにしてもよい。
【００５４】
さらに、上記実施形態では、側面にライトプロテクトボタンが配されたカードに対応させるべく２つの接触ばね片２０，３０から成るスイッチ構造をカード収容部１２の側方に配置したが、ライトプロテクトボタンがカードの前面、表面あるいは裏面に配されている場合は、これに対応して接触ばね片２０，３０の配置位置を変更すればよい。
【００５５】
【発明の効果】
以上説明したようにこの発明によれば、ライトプロテクトボタンが２つのスライド位置の何れに位置しているときも、一方の接触ばね片の当接部がライトプロテクトボタンに当接しかつ他方の接触ばね片の当接部はライトプロテクトボタンに隣接する凹部に当接しているので、ガタ、寸法公差などの外乱要因があったとしても、各接触ばね片は、常にライトプロテクトボタンの高さ分の変位をすることができようになり、接触ばね片の接離動作を確実におこなうことができる。
【００５６】
また、両接触ばね片の変位方向が互いに逆になるように接触ばね片を配設した場合は、これら接触ばね片の相対変位が従来の倍になり、これによりボタン高さを十分に確保することができない小型、超小型カードの場合においても、接触ばね片の接離動作を確実におこなうことができる。
【００５７】
したがってこの発明では、ライトプロテクトボタンの位置を常に正確かつ確実に検出することができるようになり、書込み禁止しているカードへデータを書き込んだりするなどの誤動作を確実に防止することができる。
【図面の簡単な説明】
【図１】この発明のカードコネクタに挿入されるＩＣカードの一例を示す平面図である。
【図２】この発明を適用するカードコネクタの概観構成を示す斜視図である。
【図３】この発明のカードコネクタの実施形態についてカード未装填のときの内部構成を示す平面図である。
【図４】この発明のカードコネクタの実施形態についてカード装填のときの内部構成を示す平面図である。
【図５】この発明のカードコネクタのスイッチ構造の実施形態を示す斜視図である。
【図６】この発明のカードコネクタのスイッチ構造の実施形態を示す側面図である。
【図７】この発明のカードコネクタのスイッチ構造の実施形態について接点離間時の状態を示す平面図である。
【図８】この発明のカードコネクタのスイッチ構造の実施形態について接点接触時の状態を示す平面図である。
【図９】この発明のカードコネクタのスイッチ構造の他の実施形態を示す図である。
【図１０】この発明のカードコネクタのスイッチ構造の他の実施形態を示す図である。
【図１１】この発明のカードコネクタのスイッチ構造の他の実施形態を示す図である。
【図１２】この発明のカードコネクタのスイッチ構造の他の実施形態を示す図である。
【図１３】この発明のカードコネクタのスイッチ構造の他の実施形態を示す図である。
【図１４】従来技術を示す図である。
【符号の説明】
１    ＩＣカード
２    凹部
３  ライトプロテクトボタン
１１  コネクタハウジング本体
１２  蓋体
１３  カード挿入口
１４  コンタクト端子
２０  接触ばね片
２１  端部
２２  固定部
２３  ばね片部
２４  先端当接部
３０  接触ばね片
３１  端部
３２  固定部
３３  ばね片部
３４  先端当接部
【図１】
0003635625.tif 000002
【図２】
0003635625.tif 000003
【図３】
0003635625.tif 000004
【図４】
0003635625.tif 000005
【図５】
0003635625.tif 000006
【図６】
0003635625.tif 000007
【図７】
0003635625.tif 000008
【図８】
0003635625.tif 000009
【図９】
0003635625.tif 000010
【図１０】
0003635625.tif 000011
【図１１】
0003635625.tif 000012
【図１２】
0003635625.tif 000013
【図１３】
0003635625.tif 000014
【図１４】
0003635625.tif 000015